(57)【要約】【課題】  身体を容易にどっしりと安定した状態とできるようにして高齢者等の転倒を防止できるようにし、高齢者等が広く活動できるようにする【解決手段】  ＬＥＤ３とＬＥＤ３に電源を供給する電池４とを一体に備え、身体Ｂ面に取り付けられてＬＥＤ３からの光を身体Ｂの特定部位に照射するように用いられる健康器具、及び、扁平なケーシング２と、ケーシング２内に納められてその照射端部１０をケーシング２の一方側面に露呈するＬＥＤ３と、ケーシング１内に納められＬＥＤ３に電源を供給する電池４とを備え、ケーシング１の一方側面が身体Ｂ面に取り付けられて照射端部１０からの光を身体Ｂの特定部位に照射するように用いられる健康器具。【選択図】図２
0003176726.tif 000002
【実用新案登録請求の範囲】
【請求項１】
ＬＥＤと前記ＬＥＤに電源を供給する電池とを一体に備え、身体面に取り付けられて前記ＬＥＤからの光を身体の特定部位に照射するように用いられることを特徴とする健康器具。
【請求項２】
扁平なケーシングと、前記ケーシング内に納められてその照射端部を前記ケーシングの一方側面に露呈するＬＥＤと、前記ケーシング内に納められ前記ＬＥＤに電源を供給する電池とを備え、
前記ケーシングの一方側面が身体面に取り付けられて前記照射端部からの光を身体の特定部位に照射するように用いられることを特徴とする健康器具。
【請求項３】
前記身体の特定部位を臍下の丹田とする請求項１または２記載の健康器具。
【請求項４】
前記身体への取り付け側面が梨地面とされてなる請求項１または２記載の健康器具。
【考案の詳細な説明】
【技術分野】
【０００１】  この考案は、ＬＥＤを用いる健康器具に関する。
【背景技術】
【０００２】  高齢者等は躓いたりバランスを崩して転倒することが多く、これが大きな怪我に繋がることがあり、このことが高齢者等の活動範囲を制限する要因にもなっている。この転倒は体力低下により体幹が弱くなって、体が不安定となりバランスが悪くなることに起因すると考えられる。例えば、どっしりと安定した姿勢を保つために従来から「気を入れる」というような行為がとられる。これは臍下の丹田という部位に意識を集中することで行われる。しかしながら、そのような行為にはその方法を取得する必要があり、また、その行為に時間を要するので、高齢者等にはその実践が困難なものであった。
【考案の概念】
【考案が解決しようとする課題】
【０００３】  この考案は上記の事情に鑑みて行ったもので、身体を容易にどっしりと安定した状態とできるようにして高齢者等の転倒を防止できるようにし、高齢者等が広く活動できるようにすることを目的とする。
【課題を解決するための手段】
【０００４】  考案者は鋭意研究の結果、ＬＥＤ光を丹田等のツボに照射することで身体の活性化が図られて、身体が安定した状態となることを確認したものである。
【０００５】  この考案における第１の考案（請求項１の考案）では、ＬＥＤと前記ＬＥＤに電源を供給する電池とを一体に備え、身体面に取り付けられて前記ＬＥＤからの光を身体の特定場所に照射するように用いられることを特徴とする健康器具を、また、第２の考案（請求項２の考案）では扁平なケーシングと、前記ケーシング内に納められてその照射端部を前記ケーシングの一方側面に露呈するＬＥＤと、前記ケーシング内に納められ前記ＬＥＤに電源を供給する電池とを備え、前記ケーシングの一方側面が身体面に取り付けられて前記照射端部からの光を身体の特定部位に照射するように用いられることを特徴とする健康器具を提供する。
【０００６】  これら考案の健康器具が身体面に取り付けられて、ＬＥＤからの光が身体の特定部位、例えば、臍下の丹田等に照射されることで、身体が活性化されて身体が安定した状態となる。とくに、第２の考案においては、ケーシングが扁平であることで身体への取り付けが嵩張ることなく安定して取り付けられて使用され、さらに、健康器具は軽量、小型とされることで使用が容易になされる。
【０００７】  これら考案において用いられる電池は非接触により充電可能なものとされることで、その取り換えが必要でなく便利に使用できる。また、健康器具は身体面に両面粘着シートを使用して貼り付けられて取り付けられる場合、身体への取り付け側面が梨地面とされていることで使用後の健康器具からの両面粘着シートの取り外しが容易になされる。
【考案の効果】
【０００８】  これら考案の健康器具を使用することで、身体を容易にどっしりと安定した状態とできるようになり、これにより高齢者等の転倒を防止できるようになって、高齢者等の活動範囲を広くできるようになる。また、介護に際して被介護者にこの考案の健康器具を使用することで、被介護者の体が安定するので介護者にかかる重量が軽減し、介護作業が容易なものとなる。とくに、健康器具のケーシングが扁平形態のものは、身体への取り付けが嵩張ることなく安定して取り付けられて実用的に優れる。
【図面の簡単な説明】
【０００９】
【図１】この考案の健康器具の実施形態の外観斜視図
【図２】この考案の健康器具の実施形態の断面構成図
【図３】この考案の健康器具の実施形態の充電形態説明図
【図４】この考案の健康器具の実施形態の使用状態説明図
【考案を実施するための形態】
【実施例１】
【００１０】  図１はこの考案の健康器具の外観斜視図、図２は同断面構成図である。健康器具１は平面形態が正円で、かつ扁平なプラスチックス製のケーシング２内に、ＬＥＤ３、電池４等が納められて構成されている。ケーシング２はベース部６上に蓋部７が嵌設されて構成され、ベース部６の上面に形成された回路面８上にＬＥＤ３と電池４とが互いに電気的に接続されて搭載配置されている。ＬＥＤ３がベース部６上の中心位置に設けられ、かつ、蓋部７の中心位置に円穴９が設けられていることで、ＬＥＤ３の光を照射する端部１０はその円孔９から上方外部に突出するように位置する。蓋部７の上面は梨地面１７とされ、その梨地面１７とされていない部分においてデザイン模様１８が形成されている。【００１１】  上記電池４としては非接触により外部より充電可能なものが使用され、図３に示すように、収納ケース１２内に納められた状態において家屋電源に接続された充電器１４が接続されることで電池４の充電がなされ、すなわち、収納ケース１２内に納められることで自動的に充電が行われるようになっている。【００１２】  図４は健康器具１の使用状態を示す。健康器具１の蓋部７表面に中央に穴の開いた円形の両面粘着シート１５を貼り付け、その両面粘着シート１５の逆面側を身体Ｂの所定位置に貼り付けて使用する。充電が行われている電池４から電源が与えられることでＬＥＤ３が点灯し、その端部１０からの光が身体Ｂ側に照射される。健康器具１使用後において、蓋部７の上面が梨地面１７とされていることでその面から両面粘着シート１５の取り外しが容易に行われる。【００１３】  表１、表２のそれぞれは実験による効果データを示す。表１は健康器具１を臍下に貼り付け丹田のツボにＬＥＤ光を照射した際の右腕、左腕の耐力に関する効果データを示す。その実験は実験者の腕を水平に保った状態において手の部分を上方から押した際、それに耐えられる（腕を水平に保った状態に維持する）重量を健康器具１が不使用、使用のそれぞれの条件で測定した。なお、ＬＥＤ３の端部１０面に橙色を付することで橙色の光を照射して行った。不使用、使用の際に得られる測定値の単位は全てｋｇである。【００１４】
【表１】
0003176726.tif 000003
0003176726.tif 000004
【００１５】  上記の実験結果から、ほとんどの実験者において健康器具１を用いた場合の方が用いない場合より耐力重量が明らかに増大することが確認できた。【００１６】  表２は健康器具１を臍下に貼り付け丹田のツボにＬＥＤ光を照射した際の骨盤部位の耐力に関する効果データを示す。その実験は実験者の骨盤の高さ位置において左右、前後のそれぞれの位置でベルト端を固定し、そのベルトをそれぞれの方向に牽引した際、それに耐えられる（骨盤部分が水平移動しない状態を維持する）重量を健康器具１が不使用、使用のそれぞれの条件で測定した。なお、ＬＥＤ３の端部１０面に橙色を付することで橙色の光を照射して行った。【００１７】
【表２】
0003176726.tif 000005
0003176726.tif 000006
0003176726.tif 000007
【００１８】  上記の実験結果から、ほとんどの実験者において健康器具１を用いた場合の方が用いない場合より耐力重量が明らかに増大することが確認できた。【００１９】  上記の表１の実験結果である耐力の増大は身体に垂直方向にかかる力への対応力の増大に繋がり、上記の表２の実験結果である耐力の増大は身体に水平方向にかかる力への対応力増大に繋がり、それぞれの対応力がともに増大されることで体のどっしりと安定した状態が得られるようになる。
【符号の説明】
【００２０】１    健康器具
２    ケーシング
３    ＬＥＤ
４    電池
１０  端部（照射端部）
Ｂ    身体
【図１】
0003176726.tif 000008
【図２】
0003176726.tif 000009
【図３】
0003176726.tif 000010
【図４】
0003176726.tif 000011